(57)【特許請求の範囲】
【請求項１】
排液用ドレーンチューブの吸引部の断面形状において，
楕円もしくは角丸扁平四角形の外壁膜の内部に二つの隔壁が「V」字状にあり，三つの腔を形成し，
中央腔には，隔壁の「V」字の下端の角にあたる所に溝があり，
中央腔の両外側にある外側腔には，隔壁の「V」字の始点と終点にあたる所の外縁に溝があり，その溝は斜めに欠成されている
ことを特徴とする排液用ドレーンチューブ．
【請求項２】
前記中央腔もしくは外側腔の溝の幅はチューブ長軸方向に沿って大小を繰り返していることを特徴とする請求項１に記載の排液用ドレーンチューブ．
【発明の詳細な説明】
【技術分野】
【０００１】
本発明は、手術部に挿入する排液用ドレーンチューブに関するものである。
【背景技術】
【０００２】
手術部は切開や摘出等により組織から出血があり，閉創後に体内に血液の貯留が起きないことが望ましい部位には排液用ドレーンチューブを留置する．脊椎手術では血液の貯留により神経が圧迫されると神経症状が引き起こされるためシリコーン等のドレーンチューブを挿入することが一般的である． 
【０００３】
排液ドレーンには閉鎖式と開放式があり，閉鎖式は図１のようにチューブ１にバッグ２等が接続しそれらに排液を貯める．開放式はバッグがなく創部にあてたガーゼ等に吸わせることになり，本体もチューブ形状とは限らない．閉鎖式ドレーンチューブは，チューブの先端側にある体液を吸引する部分である吸引部の形状は様々あり，円筒形で側面に多数の孔があいているもの（図２a）や，溝が縦にあるもの（図２ｂ）もある．吸引部の内部に隔壁がある場合もあり，その隔壁は「十」字であったり（図３a），「人」字であったり（図３b）する．ドレーンチューブは創部から直接出すものと，創部とは別の所からチューブを体外に出すものがある．後者はトロッカーという金属製で釘頭のない釘のようなものがチューブに接続しており，トロッカーにより創部とは別の所から表皮を貫いてドレーンチューブを体外に出してから，トロッカーは切り離されチューブとバッグをつないで使用する．開放式ドレーンには図４のようなペンローズドレーンという名称の柔軟な膜で内部に隔壁はなく多数の凹凸がついており，毛細管現象を利用して液を外部に導くものがある．開放式より閉鎖式ドレーンの方が体外からの逆流がなく細菌が体内に侵入しにくいため感染率が低い．創部とは別のところからドレーンチューブを出すようにするほうが同様に感染率は低いので多く用いられている．
【先行技術文献】
【特許文献】
【０００４】
【特許文献１】特開１９９６−２０６２１９
【特許文献２】特開１９９７−９９０５９
【特許文献３】特開１９９９−１２３２３８
【特許文献４】特開２００２−２２４２２２
【特許文献５】特表２００３−５１３７５７
【特許文献６】特開２００７−１３０２７３
【発明の概要】
【発明が解決しようとする課題】
【０００５】
脊椎手術に使用するドレーンチューブは先端側の吸引部が神経の近傍に留置されるため柔軟性が求められる．しかし柔軟性が高い素材ではチューブの管腔構造がつぶれやすく，既存の器具には先端部の柔軟性と吸引持続力を兼ね備えたものはない．
【０００６】
そこで、本発明の排液用ドレーンチューブは、その吸引部の形状により柔軟性と吸引持続力を兼ね備えたものにすることを目的とする。
【課題を解決するための手段】
【０００７】
上記課題を解決するために本発明にかかる排液用ドレーンチューブは，閉鎖式ドレーンで「排液ドレーンチューブの吸引部の断面形状において，楕円もしくは角丸扁平四角形の外壁膜の内部に二つの隔壁が「V」字状にあり，三つの腔を形成し，中央腔には，隔壁の「V」字の下端の角にあたる所に溝があり，中央腔の両外側にある外側腔には，隔壁の「V」字の始点と終点にあたる所の外縁に溝があり，その溝は斜めに欠成されて」おり，「中央腔もしくは外側腔の溝の幅はチューブ長軸方向に沿って大小を繰り返している」ものである． 
【０００８】
前記角丸扁平四角形には四角形に半円や半楕円がその両端に接合している扁平な形状も含まれる。
【０００９】
バイパスチューブはドレーンチューブの吸引部以外の所のチューブのことで，既存する通常のものと同様に円筒形チューブである．
【発明の効果】
【００１０】
図６で示すように本発明の排液用ドレーンチューブの吸引部は断面形状が扁平で，分枝がない一筆書き構造であることにより，扁平の短軸方向にたわみやすくなっている．たわみやすいため柔軟性に優れる．さらにたわんでも隔壁により内腔は確保される．図７で示すように膨大部がある溝構造により，吸引部がたわんで溝が閉鎖してしまっても膨大部は開存を保つため吸引力が確保される．
【００１１】
ドレーンチューブはトロッカーにて体内から表皮を突き破って体外に出して設置するが，トロッカー外径はバイパスチューブ外径と同じであり，出口である表皮の裂け目の大きさには余裕がない．ドレーンチューブを抜去する際にはその表皮の裂け目をドレーン吸引部も通ることになるが，ドレーン吸引部はバイパスチューブより横幅がある．外側腔の溝は斜めに欠成されていることによりドレーンチューブ抜去時には表皮の裂け目の所で外側腔が横から押されて溝の所でずれてつぶれるため，断面積が減り引っかかることなく抜去できる． 
【図面の簡単な説明】
【００１２】
【図１】既存の閉鎖式ドレーン全体図。
【図２】既存のドレーン吸引部の外表図。
【図３】既存のドレーン吸引部の断面図。
【図４】既存のペンローズドレーンの斜視図。
【図５】本発明の実施形態１の全体図．
【図６】本発明の実施形態１の吸引部の断面図。
【図７】本発明の実施形態１の吸引部のスリット溝の外表図。
【図８】本発明の実施形態１のバイパスチューブ部から吸引部にかけて形態が変化する所の断面図。
【図９】本発明の実施形態２の吸引部の断面図。
【発明を実施するための形態】
【００１３】
本発明の実施形態１を図５〜８を用いて説明する。ドレーンチューブはシリコーン等の軟性材で作られ，図５のように先端から吸引部３，バイパスチューブ部４，バッグ接続部５からなり，バッグ６に接続する．ドレーンチューブ吸引部３の断面形状は図６のように，楕円形の外壁膜７と，その内部に二つの隔壁８が「V」字状にあり，三つの腔を形成している．中央腔９には，隔壁８の「V」字の下端の角にあたる所にスリット溝１１がある．中央腔９の両外側にある外側腔１０には，隔壁８の「V」字の始点と終点にあたる所の外縁にスリット溝１２がある．スリット溝１２は斜めに欠成されている．図７のようにスリット溝１１，１２の幅はチューブ長軸方向に沿って膨大部１３が間欠的にありその間が峡部１４となっている．
【００１４】
ドレーンチューブの断面がバイパスチューブ部では図８aのように円形で，吸引部へ形態が変化する部分では図８b，cのように移行する．
【００１５】
本発明の実施形態２を図９にて説明する。吸引部断面は外壁膜７が長方形の両端に半楕円を加えたような外形となっている．その他は実施形態１と同様である．
【図１】
0006340158.tif 000002
【図２】
0006340158.tif 000003
【図３】
0006340158.tif 000004
【図４】
0006340158.tif 000005
【図５】
0006340158.tif 000006
【図６】
0006340158.tif 000007
【図７】
0006340158.tif 000008
【図８】
0006340158.tif 000009
【図９】
0006340158.tif 000010